(57)【特許請求の範囲】
【請求項１】
画像データを表示する液晶パネルと前記液晶パネルに表示する画像データの制御を行なう液晶パネル駆動用インタフェースボードとを有する液晶表示装置を、複数組み合わせて構成される液晶マルチディスプレイ装置であって、
前記液晶パネル駆動用インタフェースボードは、
各レジスタの設定を行う演算手段と、
外部から送信される画像データを受信する少なくとも２以上のデータ入力処理部と、
前記データ入力処理部から送信された画像データを格納可能な第１及び第２のフレームメモリと、
前記演算手段の動作を制御する制御データを該演算手段へ送信する制御データ処理手段と、
前記演算手段の制御に基づき、前記第１あるいは第２のフレームメモリへのデータ書き込み処理を行なうフレームメモリ書き込み手段と、
前記演算手段の制御に基づき、前記第１あるいは第２のフレームメモリからのデータ読み出し処理を行なうフレームメモリ読み出し手段と、
前記フレームメモリ書き込み手段が参照する設定値が前記演算手段によって設定されるフレームメモリ書き込み用レジスタと、
前記フレームメモリ読み出し手段が参照する設定値が前記演算手段によって設定されるフレームメモリ読み出し用レジスタと、
前記フレームメモリ読み出し手段および前記フレームメモリ読み出し用レジスタに接続され、該フレームメモリ読み出し用レジスタに設定された設定値を参照して画像データの処理を行なう拡大データ処理手段とを有し、
当該液晶パネル駆動用インターフェースボードは、前記液晶パネルに画像データを出力している状態で、次に表示する画像データの設定を前記制御データとして、該画像データとともに前記複数の液晶マルチディスプレイ装置のうちの他の液晶パネル駆動用インターフェースボードに送信し、
前記フレームメモリ読み出し手段は、前記演算手段からの表示画像データ切り換え信号を受け取ると、前記第１のフレームメモリまたは第２のフレームメモリからの１フレーム分の画像データの読み出し及び前記拡大データ処理手段への画像データの転送を完了した後、前記フレームメモリ読み出し用レジスタにレジスタ書き換え信号を送り、現在液晶パネルに表示している画像データの設定を、これから該液晶パネルに表示する画像データの設定に書き換えることを特徴とする液晶マルチディスプレイ装置。
【請求項２】
請求項１記載の液晶マルチディスプレイ装置であって、
前記制御データ処理手段は、送信された制御データを、前記演算手段に送信するとともに、制御データバスを介して他の液晶表示装置へも送信し、
前記入力データ処理部は、送信された画像データを、前記フレームメモリ書き込み手段に送信するとともに、画像データバスを介して他の液晶表示装置へも送信することを特徴とするマルチディスプレイ装置。
【請求項３】
請求項１記載の液晶マルチディスプレイ装置であって、
前記演算手段は、当該液晶パネル駆動用インターフェースボードに固有のIDを管理し、前記送信された制御データが該IDに対する制御データである場合に、該制御データに基づく処理を実行することを特徴とするマルチディスプレイ装置。
【請求項４】
請求項１記載の液晶マルチディスプレイ装置であって、
さらに、前記拡大データ処理手段に接続された出力タイミング信号生成手段を有し、
前記拡大データ処理手段は、前記出力タイミング信号生成手段の生成する出力タイミング信号に同期して画像データを前記液晶パネルへ出力することを特徴とするマルチディスプレイ装置。
【請求項５】
画像データを表示する液晶パネルと前記液晶パネルに表示する画像データの制御を行なう液晶パネル駆動用インタフェースボードとを有する液晶表示装置を、複数組み合わせて構成される液晶マルチディスプレイ装置であって、
前記液晶パネル駆動用インタフェースボードは、
各レジスタの設定を行う演算手段と、
外部から送信される画像データを受信する少なくとも２以上のデータ入力処理部と、
前記データ入力処理部から送信された画像データを格納可能な第１及び第２のフレームメモリと、
前記演算手段の動作を制御する制御データを該演算手段へ送信する制御データ処理手段と、
前記演算手段の制御に基づき、前記第１あるいは第２のフレームメモリへのデータ書き込み処理を行なうフレームメモリ書き込み手段と、
前記演算手段の制御に基づき、前記第１あるいは第２のフレームメモリからのデータ読み出し処理を行なうフレームメモリ読み出し手段と、
前記フレームメモリ書き込み手段が参照する設定値が前記演算手段によって設定されるフレームメモリ書き込み用レジスタと、
前記フレームメモリ読み出し手段が参照する設定値が前記演算手段によって設定されるフレームメモリ読み出し用レジスタとを有し、
当該液晶パネル駆動用インターフェースボードは、前記液晶パネルに画像データを出力している状態で、次に表示する画像データの設定を前記制御データとして、該画像データとともに前記複数の液晶マルチディスプレイ装置のうちの他の液晶パネル駆動用インターフェースボードに送信し、
前記フレームメモリ書き込み手段は、前記演算手段から送信される制御信号に基づき、前記第１あるいは第２の入力データ処理部のいずれかからデータを入力し、前記フレームメモリ書き込み用レジスタに格納された設定値を参照して前記第１あるいは第２のフレームメモリへデータを書き込み、
前記制御データが、前記液晶パネルに表示する画像データの設定を行う制御データである場合、前記演算手段は、表示する画像データの解像度に基づき、前記フレームメモリ書き込み用レジスタ及び前記フレームメモリ読み出し用レジスタに設定値を設定することを特徴とするマルチディスプレイ装置。
【請求項６】
請求項５記載の液晶マルチディスプレイ装置であって、
前記フレームメモリ書き込み手段は、
前記演算手段からデータ取り込み信号を受信した際、当該データ取り込み信号に基づき、前記フレームメモリ書き込み用レジスタを参照し、前記第１のフレームメモリまたは第２のフレームメモリに１フレーム分の画像データの書き込み処理を行うことを特徴とするマルチディスプレイ装置。
【請求項７】
請求項６記載の液晶マルチディスプレイ装置であって、
前記フレームメモリ書き込み用レジスタを参照しての書き込み処理は、１フレーム分の画像データの書き込みが完了すると終了することを特徴とするマルチディスプレイ装置。
【請求項８】
画像データを表示する液晶パネルと前記液晶パネルに表示する画像データの制御を行なう液晶パネル駆動用インタフェースボードとを有する液晶表示装置を、複数組み合わせて構成される液晶マルチディスプレイ装置であって、
前記液晶パネル駆動用インタフェースボードは、
各レジスタの設定を行う演算手段と、
外部から送信される画像データを受信する少なくとも２以上のデータ入力処理部と、
前記データ入力処理部から送信された画像データを格納可能な第１及び第２のフレームメモリと、
前記演算手段の動作を制御する制御データを該演算手段へ送信する制御データ処理手段と、
前記演算手段の制御に基づき、前記第１あるいは第２のフレームメモリへのデータ書き込み処理を行なうフレームメモリ書き込み手段と、
前記演算手段の制御に基づき、前記第１あるいは第２のフレームメモリからのデータ読み出し処理を行なうフレームメモリ読み出し手段と、
前記フレームメモリ書き込み手段が参照する設定値が前記演算手段によって設定されるフレームメモリ書き込み用レジスタと、
前記フレームメモリ読み出し手段が参照する設定値が前記演算手段によって設定されるフレームメモリ読み出し用レジスタとを有し、
当該液晶パネル駆動用インターフェースボードは、前記液晶パネルに画像データを出力している状態で、次に表示する画像データの設定を前記制御データとして、該画像データとともに前記複数の液晶マルチディスプレイ装置のうちの他の液晶パネル駆動用インターフェースボードに送信し、
前記制御データが、前記第１のフレームメモリあるいは前記第２のフレームメモリのいずれかからの読み出しを切り換える制御データである場合、
前記演算手段は、前記フレームメモリ読み出し用レジスタに、液晶パネルに表示しようとする画像データの、出力サイズ、拡大率、表示位置の少なくともひとつを設定し、
前記フレームメモリ読み出し手段は、前記演算手段から送信される他の制御信号に基づき、前記フレームメモリ読み出し用レジスタに格納された設定値を参照して前記第１あるいは第２のフレームメモリからデータを読み出すことを特徴とするマルチディスプレイ装置。
【請求項９】
請求項８記載の液晶マルチディスプレイ装置であって、
前記フレームメモリ読み出し用レジスタには、液晶パネルに表示している画像データの設定値を格納する領域と、これから液晶パネルに表示する画像データの設定値を格納する領域とを有することを特徴とするマルチディスプレイ装置。
【発明の詳細な説明】
【０００１】
【発明の属する技術分野】
本発明は、複数の液晶ディスプレイで構成する液晶マルチディスプレイシステムに係わり、特に複数の液晶ディスプレイにわたっての高精細大画面表示を別の表示画面に切り換える場合に、表示画像に乱れなく同時に画面表示切り換えを実現する液晶マルチディスプレイ装置に関する。
【０００２】
【従来の技術】
複数のディスプレイで構成するマルチディスプレイシステムにおいては、静止画や動画の画像データを複数のディスプレイにわたって高精細に大画面に表示する。従来では例えば特開平10-187109号公報に記載されているような構成をとっている。この従来のマルチディスプレイシステムについて、図2を用いて説明する。
【０００３】
図2において、201はモニタ部、202は画像入力部、203はA/Dコンバータ、204は記憶選択部、205は画像メモリ1、206は画像メモリ2、207は切り換え演算部、208はD/Aコンバータ、209は表示部、210は制御信号受信部、211はデコード部、212は受信制御信号メモリ、213はID設定部、214はモニタシステムメモリ、215はモニタ制御部、216は画像送信部、217は画像信号発生部、218は画像送出部、219はモニタID登録部、220はプログラムコード発生部、221はフレーム番号発生部、222は同期調整部、223は制御信号送出部、224は制御信号合成部、225はモニタ制御プログラムメモリ、226は制御部、227はシステムメモリ、228は画像信号回線、229はデジタル制御回線である。
【０００４】
従来例の動作は、画像送信部216の画像信号発生部217が、カメラ、VTR、PCなどの映像信号をあらかじめ編集し、複数のモニタ部で表示する全ての画像データを連続した静止画のアナログ画像信号として、画像送出部218から画像信号回線228に送出する。またモニタ部201の制御のため、モニタID登録部219、プログラムコード発生部220、画像のフレーム番号発生部221、モニタ制御プログラムメモリ225の各データを制御信号合成部224で合成し、この合成したデジタル制御信号は、同期調整部222において画像送出部218から出力される画像データに同期してモニタ部201に送られる。画像信号回線228から出力される画像データは、デジタル制御信号回線229から送られる制御信号に応じて動作する。画像データは、A/Dコンバータ203でデジタル画像データに変換され、記憶選択部204により画像メモリ1 205または画像メモリ2 206に記憶される。記憶したデジタル画像データは、切り換え演算部207により読み出され、D/Aコンバータ208を通して表示部209に表示される。
【０００５】
このように、画像データの少なくとも1フレームもしくは1フィールドを記憶する複数の画像メモリ(画像メモリ1 205または画像メモリ2 206)と、前記複数の画像メモリに記憶する前記画像データを1フレームもしくは1フィールド単位で選択し前記複数の画像メモリに記憶選択する記憶選択部204と、前記複数の画像メモリに記憶した画像データを切り換えて読み出し、あるいは読み出して合成演算出力する切り換え演算部207により、記憶した画像データを読み出し表示部209に表示している。
【０００６】
【発明が解決しようとする課題】
従来のマルチディスプレイシステムにおいては、ディスプレイに表示した画像データを別の表示画像に切り換える場合に、ディスプレイに表示した画像データの表示画質についてはほとんど考慮されていない。
【０００７】
例えば前記特開平10-187109号公報において、図2の表示部209に表示した静止画の画像データを別の静止画に切り換える場合、画像メモリ1 205に記憶した画像データを読み出して表示している状態から、次に表示する別の画像データを記憶した画像メモリ2 206からの画像データの読み出しに切り換える場合において、次のようなことを考慮する必要がある。
【０００８】
画像メモリ1 205に記憶した静止画の画像データを読み出して表示している状態で、画像メモリ2 206には画像メモリ1 205に記憶した画像データとは違う別の静止画の画像データを書き込み記憶させ、画像メモリ2 206への画像データの書き込みが完了したことを認識したうえで、表示部209に表示した静止画の画像データが乱れないタイミングで、別の画像データを記憶した画像メモリ2 206からの画像データの読み出しに切り換える必要がある。そうしないと、表示部209に表示中の静止画の画像データが、表示部209の画面途中で別の画像データに切り換わるため、静止画が乱れてしまう。また表示部209に動画の画像データを表示する場合も、同様の理由により、表示部209の画面途中で別の画像データに切り換わるため表示画像が乱れてしまう。
【０００９】
【課題を解決するための手段】
本発明の目的は、複数系統の画像データ入力のある液晶マルチディスプレイ装置において、複数の液晶ディスプレイにわたっての高精細大画面表示を別の表示画面に切り換える場合に、表示画像に乱れなく同時に静止画表示切り換え、または動画表示切り換えを実現する装置を提供することにある。
【００１０】
上記目的を達成するために、本発明の液晶マルチディスプレイ装置は、複数の液晶パネル、複数の液晶パネル駆動用インターフェースボード、複数の入力データ処理手段、複数のデータ選択手段、フレームメモリ書き込み手段、メモリ書き込み用レジスタ、フレームメモリ読み出し手段、メモリ読み出し用レジスタ、複数のフレームメモリ、拡大データ処理手段、出力タイミング信号生成手段、制御データ処理手段、マイコンから構成する。制御データで前記マイコンに命令を送ることにより、マイコンは前記メモリ書き込み用レジスタ及び前記メモリ読み出し用レジスタに各々設定を行い、また前記フレームメモリ書き込み手段及び前記フレームメモリ読み出し手段に信号を送り、複数の液晶ディスプレイで同一の画像データを表示させたり、1つの画像データを複数の液晶ディスプレイに拡大表示させることができる。液晶ディスプレイに表示する画像データに応じ、静止画の場合は2つのフレームメモリ、動画の場合は4つのフレームメモリを設け、画像データを表示している状態で別の画像データをフレームメモリに書き込んでおき、フレームメモリからの読み出し先を変更するだけで、表示画像に乱れなく画面表示切り換えを行うことが可能になる。
【００１１】
表現を変えると本発明は、以下の通りにもなる。画像データを表示する液晶パネルと、前記液晶パネルに表示する画像データの制御を行い、かつ画像データの入力を複数系統有する液晶パネル駆動用インターフェースボードと、複数の液晶から構成される液晶マルチディスプレイ装置において、前記液晶パネル駆動用インターフェースボードが、複数の入力データ処理手段、複数のデータ選択手段、フレームメモリ書き込み手段、メモリ書き込み用レジスタ、フレームメモリ読み出し手段、メモリ読み出し用レジスタ、複数の画像データ入力毎に対応したフレームメモリ構成手段、拡大データ処理手段、出力タイミング信号生成手段、制御データ処理手段、マイコン、前記マイコンに命令を送受する制御信号を有し、前記フレームメモリに複数入力毎の画像データを独立に書き込むことで、前記複数の液晶パネルの高精細大画面静止画表示の切り換えを、複数の液晶パネルで構成される液晶マルチディスプレイ装置の全液晶パネル表示データをに切り替え可能なことを特徴とする液晶マルチディスプレイ装置である。
【００１２】
また、この液晶マルチディスプレイ装置において、1つの入力からの任意の画像データを入力しつつ表示を行った状態で、別の入力からの任意の画像データをフレームメモリに書き込む手段を設けたことを特徴とする液晶マルチディスプレイ装置でもある。
【００１３】
また、これらの液晶マルチディスプレイ装置において、マイコンへの命令により、別の入力からの画像データをフレームメモリから読み出し、表示内容を切り換える手段を設けたことを特徴とする液晶マルチディスプレイ装置でもある。
【００１４】
また、これらの液晶マルチディスプレイ装置において、マイコンに、メモリ読み出し用レジスタに設定する値を保存しておくレジスタ設定データ保存部を設けたことを特徴とする液晶マルチディスプレイ装置でもある。
【００１５】
また、これらの液晶マルチディスプレイ装置において、表示する画像データの解像度等の表示モードに応じて、任意の入力毎にフレームメモリへの書き込み、フレームメモリからの読み出しを設定できるレジスタを設けたことを特徴とする液晶マルチディスプレイ装置でもある。
【００１６】
また、これらの液晶マルチディスプレイ装置において、画像入力インターフェースがアナログインターフェースであることを特徴とする液晶マルチディスプレイ装置である。
【００１７】
また、これらの液晶マルチディスプレイ装置において、画像入力インターフェースがディジタルインターフェースであることを特徴とする液晶マルチディスプレイ装置でもある。
【００１８】
また、表示画面制御手段、画像データ保存部、複数の画像データ送信手段、制御データ送受信手段を有する外部システム装置と、上述した液晶マルチディスプレイ装置のいずれかで構成したことを特徴とする液晶マルチディスプレイシステムである。
【００１９】
また、これらのの液晶マルチディスプレイ装置において、少なくとも2系統以上有する静止画入力が可能でかつ任意の１つの入力データ表示を行なう場合に2つのフレームメモリと2系統以上有する静止画入力に対応する表示画面の切り換えを実現する手段を設けたことを特徴とする液晶マルチディスプレイ装置でもある。
【００２０】
また、これらの液晶マルチディスプレイ装置において、少なくとも2系統以上有する動画入力が可能でかつ任意の１つの入力データ表示を行なう場合に４つのフレームメモリと2系統以上有する動画入力に対応する表示画面の切り換えを実現する手段を設けたことを特徴とする液晶マルチディスプレイ装置でもある。
【００２１】
【発明の実施の形態】
実施形態を図1及び図3,4を用いて説明する。複数系統の画像入力を2系統の画像入力例に挙げて説明する。
【００２２】
図1は、本発明の液晶マルチディスプレイ装置のブロック図である。101は液晶パネル駆動用インターフェースボード、102は液晶パネルである。液晶マルチディスプレイ装置は、n枚の液晶パネルで構成し、添数字-1,-2,・・・,-nは、液晶パネル駆動用インターフェースボード101及び液晶パネル102が複数個(n個)存在していることを示している。103は外部システムからの2系統ある画像入力の中の1つの画像データバス、104は次段の液晶パネル駆動用インターフェースボード101に画像データを転送する1つの画像データバス、105は外部システムからの2系統ある画像入力の中のもう1つの画像データバス、106は次段の液晶パネル駆動用インターフェースボード101に画像データを転送するもう1つの画像データバス、107は外部システムと制御データのやり取りを行う制御データバス、108は次段の液晶パネル駆動用インターフェースボード101に接続し制御データのやり取りを行う制御データバス、109,110は入力データ処理手段、111は制御データ処理手段、112,113は当該液晶パネル駆動用インターフェースボード101内部に画像データを転送する画像データバス、114は当該液晶パネル駆動用インターフェースボード101内部に制御データを転送する制御データバス、115はデータ選択手段1、116と117はそれぞれ別の静止画の画像データが書き込まれ読み出されるダブルバッファ構成ののフレームメモリ1とフレームメモリ2、118はデータ選択手段2、119はフレームメモリ書き込み手段、120はフレームメモリ読み出し手段、121は画像データの読み出し先切り換え信号、122は前記フレームメモリ書き込み手段119の参照するメモリ書き込み用レジスタ、123は前記フレームメモリ読み出し手段120の参照するメモリ読み出し用レジスタ、124は液晶パネル駆動用インターフェースボード101に固有のIDを管理しレジスタ設定等を行うマイコン、125は入力画像データ取り込み信号、126は拡大データ処理手段、127は出力タイミング信号生成手段、128は前記液晶パネル2に表示するデータを転送する画像データバス、129は出力タイミング信号(同期信号)を転送する制御信号バス、130は出力タイミング信号、131は表示画像データ切り換え信号、132はレジスタ書き換え信号、133は画像データの入力先切り換え信号である。本説明では、液晶パネル102に対し液晶駆動用インターフェイスボード101が１対１の組みとしているが、液晶駆動用インターフェイスボード101に複数枚分の液晶パネル102用の制御回路を搭載することで入力データ処理手段109、110を共通化可能でありハードウェア物量の低減を図ることも可能である。図3,4は4つの液晶ディスプレイで構成した4面液晶マルチディスプレイへにおける画像データの高精細大画面表示の一例である。
【００２３】
301,401は図1の液晶パネル駆動用インターフェースボード101及び液晶パネル102を用いて構成した液晶ディスプレイである。以下、2系統の画像データ入力のある液晶マルチディスプレイ装置において、複数の液晶ディスプレイにわたっての静止画の高精細大画面表示を別の表示画面に切り換える場合に、表示画像に乱れなく瞬時に静止画表示に切り換える動作について説明する。
【００２４】
まず図1の液晶パネル駆動用インターフェースボード101の動作について説明する。外部システムから2系統の画像データバス103,105を通して静止画の画像データが、また制御データバス107を通してマイコン124の動作を制御する制御データが送られてくる。液晶パネル駆動用インターフェースボード101に送られてきた制御データについては、制御データ処理手段111が、送られてきた制御データを、制御データバス108を通して次段の液晶パネル駆動用インターフェースボード101に送るとともに、マイコン124に送り、またマイコン124から返される動作完了のデータを、制御データバス107を通して外部システムに送り返す。マイコン124は、送られてきた制御データが自身の管理している液晶パネル駆動用インターフェースボード101のIDに対する制御である場合に限り、その制御データをもとに動作し、動作が完了するとその旨を通知するデータを制御データ処理手段111に送る。制御データが、液晶パネル102に表示する画像データの設定を行う制御データである場合には、その表示する画像データの解像度に応じてメモリ書き込み用レジスタ122及びメモリ読み出し用レジスタ123に値を設定し、かつ入力画像データ取り込み信号125によりフレームメモリ書き込み手段119を制御する。あるいは制御データが、フレームメモリ1 116またはフレームメモリ2 117の画像データの読み出し先を切り換える制御データである場合には、表示画像データ切り換え信号131によりフレームメモリ読み出し手段120を制御する。メモリ読み出し用レジスタ123は、現在液晶パネル102に表示しているフレームメモリ1 116またはフレームメモリ2 117から読み出し中の画像データの設定部分と、これから液晶パネル102に表示するためにフレームメモリ1 116またはフレームメモリ2 117に新たに書き込まれた画像データの設定部分を独立に持ち、マイコン124がメモリ読み出し用レジスタ123に値を設定するのは、これから液晶パネル102に表示する画像データの設定部分で、出力サイズ、拡大率、表示位置の設定である。
【００２５】
複数（全てを含む）の液晶パネル駆動用インターフェースボード101にわたってのメモリ書き込み用レジスタ122及びメモリ読み出し用レジスタ123の設定により、複数の液晶パネルに同一の画像データを表示したり、複数の液晶パネルにわたって1つの画像データを拡大表示したり、液晶パネル102へ様々な表示が可能となる。一方、液晶パネル駆動用インターフェースボード101に送られてきた静止画の画像データについては、入力データ処理手段109及び110が、送られてきた画像データを、画像データがアナログデータであればディジタルデータに変換し、画像データがディジタルデータであればそのまま、画像データバス104または画像データバス106を通して次段の液晶パネル駆動用インターフェースボード101に送るとともに、データ選択手段1 115を通してフレームメモリ書き込み手段119に送る。フレームメモリ書き込み手段119は、マイコン124からの入力画像データ取り込み信号125を受け取ると、これから液晶パネル102に表示する画像データが現在表示している画像データと異系統の画像データである場合に、画像データの入力先切り換え信号133によりデータ選択手段1 115を切り換え、メモリ書き込み用レジスタ122を参照し、データ選択手段2 118を通してフレームメモリ1 116またはフレームメモリ2 117に1フレーム分の画像データの書き込み動作を行う。
【００２６】
メモリ書き込み用レジスタ122を参照しての書き込み動作は、1フレーム分の画像データの書き込みが完了すると終了する。フレームメモリ1 116またはフレームメモリ2 117に書き込まれた静止画の画像データは、フレームメモリ読み出し手段120によって読み出される。フレームメモリ読み出し手段120は、マイコン124からの表示画像データ切り換え信号131を受け取ると、フレームメモリ1 116またはフレームメモリ2 117からの1フレーム分の画像データの読み出し及び拡大データ処理手段126への画像データの転送を完了した後、メモリ読み出し用レジスタ123にレジスタ書き換え信号132を送ることで、現在液晶パネル102に表示しているフレームメモリ1 116またはフレームメモリ2 117から読み出し中の画像データの設定を、これから液晶パネル102に表示する画像データの設定で書き換え、画像データの読み出し先切り換え信号121によりデータ選択手段2 118を切り換え、出力タイミング信号生成手段127の生成する次の出力タイミング信号130を受け取るのを待つ。出力タイミング信号130を受け取ると、フレームメモリ読み出し手段120はメモリ読み出し用レジスタ123を参照し、データ選択手段2 118を通して画像データの読み出し動作を行い、画像データを拡大データ処理手段126に送る。拡大データ処理手段126はメモリ読み出し用レジスタ123を参照し、画像データに拡大処理を施し、出力タイミング信号生成手段127の生成する出力タイミング信号に同期して画像データを画像データバス128経由で出力する。出力タイミング信号生成手段127が、定期的に出力タイミング信号130を生成してフレームメモリ読み出し手段120に送ることで、液晶パネル102に静止画の画像データが表示されることになる。
【００２７】
以上のように動作する液晶パネル駆動用インターフェースボード101において、液晶パネル102に静止画の画像データを表示している状態で、次に表示する画像データの設定を、制御データとして画像データとともに全てのまたは一部の液晶パネル駆動用インターフェースボード101に送信し、次に切替え表示する画像データの設定を事前に完了しておき、１画面表示分のスキャンが終了した時点の液晶パネル102の静止画表示を切り換えるタイミングで、全てのまたは一部の液晶パネル駆動用インターフェースボード101に表示画面切り換えの制御データを送ることで、複数の液晶ディスプレイにわたっての静止画の高精細大画面表示を、表示画像に乱れなく瞬時に切り換えることが可能となる。液晶パネル駆動用インターフェースボード101を用いることにより、図3に示す画像データを表示している期間中に、図4に示す画像データの拡大率、表示位置設定等の表示制御するための設定をバックグラウンド処理として実施しておき、表示画像切り換えを行う命令を実行することで表示画像に乱れなく瞬時に図4のように画像データを表示することができる。
【００２８】
図1の液晶パネル駆動用インターフェースボード101は2系統の画像入力で説明したが、データ選択手段1 115を複数系統の画像入力に対応させることで、複数系統の画像入力に対応した液晶パネル駆動用インターフェースボードとすることが可能である。
【００２９】
別の実施形態を図3から図5を用いて説明する。
図3,4は前述の通りである。図5は、本発明の液晶マルチディスプレイ装置のブロック図である。501は液晶パネル駆動用インターフェースボード、502は液晶パネル、503は外部システムからの2系統ある画像入力の中の1つの画像データバス、504は次段の液晶パネル駆動用インターフェースボード501に画像データを転送する1つの画像データバス、505は外部システムからの2系統ある画像入力の中のもう1つの画像データバス、506は次段の液晶パネル駆動用インターフェースボード501に画像データを転送するもう1つの画像データバス、507は外部システムと制御データのやり取りを行う制御データバス、508は次段の液晶パネル駆動用インターフェースボード501に接続し制御データのやり取りを行う制御データバス、509,510は入力データ処理手段、511は制御データ処理手段、512,513は当該液晶パネル駆動用インターフェースボード501内部に画像データを転送する画像データバス、514は当該液晶パネル駆動用インターフェースボード501内部に制御データを転送する制御データバス、515はデータ選択手段1、516と517はそれぞれ別の静止画の画像データが書き込まれ読み出されるダブルバッファ構成ののフレームメモリ1とフレームメモリ2、518はデータ選択手段2、519はフレームメモリ書き込み手段、520はフレームメモリ読み出し手段、521は画像データの読み出し先切り換え信号、522は前記フレームメモリ書き込み手段519の参照するメモリ書き込み用レジスタ、523は前記フレームメモリ読み出し手段520の参照するメモリ読み出し用レジスタ、524は液晶パネル駆動用インターフェースボード501に固有のIDを管理しレジスタ設定等を行うマイコン、525は入力画像データ取り込み信号、526は拡大データ処理手段、527は出力タイミング信号生成手段、528は前記液晶パネル502に表示するデータを転送する画像データバス、529は出力タイミング信号(同期信号)を転送する制御信号バス、530は出力タイミング信号、531は表示画像データ切り換え信号、532はレジスタ設定データ保存部、533は画像データの入力先切り換え信号である。以下、2系統の画像データ入力のある液晶マルチディスプレイ装置において、複数の液晶ディスプレイにわたっての静止画の高精細大画面表示を別の表示画面に切り換える場合に、表示画像に乱れなく同時に静止画表示に切り換える動作について説明する。
【００３０】
図5の液晶パネル駆動用インターフェースボード501において、図1の液晶パネル駆動用インターフェースボード101と異なる動作をするのは、図5のマイコン524とフレームメモリ読み出し手段520である。他の手段等については図1と同様に動作する。図5のマイコン524は、制御データ処理手段511から送られてきた制御データが自身の管理している液晶パネル駆動用インターフェースボード501のIDに対する制御である場合に限り、その制御データをもとに動作し、動作が完了するとその旨を通知するデータを制御データ処理手段511に送る。制御データが、液晶パネル502に表示する画像データの設定を行う制御データである場合には、その表示する画像データの解像度に応じてメモリ書き込み用レジスタ522に値を設定し、かつメモリ読み出し用レジスタ523に設定すべき値をレジスタ設定データ保存部532に保存し、かつ入力画像データ取り込み信号525によりフレームメモリ書き込み手段519を制御する。
【００３１】
あるいは制御データが、フレームメモリ1 516またはフレームメモリ2 517の画像データの読み出し先を切り換える制御データである場合には、レジスタ設定データ保存部532に保存してあるデータをメモリ読み出し用レジスタ523に設定し、かつ表示画像データ切り換え信号531によりフレームメモリ読み出し手段520を制御する。マイコン524がレジスタ設定データ保存部532に保存するのは、これから液晶パネル502に表示する画像データのメモリ読み出し用レジスタ523に設定すべき値で、出力サイズ、拡大率、表示位置である。一方フレームメモリ読み出し手段520は、マイコン524からの表示画像データ切り換え信号531を受け取ると、フレームメモリ1 516またはフレームメモリ2 517から1フレーム分の画像データの読み出し及び拡大データ処理手段526への画像データの転送を完了した後、画像データの読み出し先切り換え信号521によりデータ選択手段2 518を切り換え、出力タイミング信号生成手段527の生成する次の出力タイミング信号530を受け取るのを待つ。出力タイミング信号530を受け取ると、フレームメモリ読み出し手段520はメモリ読み出し用レジスタ523を参照し、データ選択手段2 518を通して画像データの読み出し動作を行い、画像データを拡大データ処理手段526に送る。
【００３２】
以上のように動作する液晶パネル駆動用インターフェースボード501において、液晶パネル502に静止画の画像データを表示している状態で、次に表示する画像データの設定を、制御データとして画像データとともに全てのまたは一部の液晶パネル駆動用インターフェースボード501に送り、これから表示する画像データの設定を完了しておき、液晶パネル502の静止画表示を切り換えるタイミングで、全てのまたは一部の液晶パネル駆動用インターフェースボード501に表示画面切り換えの制御データを送ることで、複数の液晶ディスプレイにわたっての静止画の高精細大画面表示を、表示画像に乱れなく同時に切り換えることが可能となる。液晶パネル駆動用インターフェースボード501を用いることにより、図3のように画像データを表示中に、図4のように表示する設定を行っておき、表示画像切り換えを行うことで1画面分の表示データのスキャン途中に画面データが切り替わることが起きないため表示画像に乱れなく同時に図4のように画像データを表示することができる。
【００３３】
さらに別の実施形態を図3,4及び図6を用いて説明する。
図3,4は前述の通りである。図6は、本発明の液晶マルチディスプレイ装置のブロック図である。601は液晶パネル駆動用インターフェースボード、602は液晶パネル、603は外部システムからの2系統ある画像入力の中の1つの画像データバス、604は次段の液晶パネル駆動用インターフェースボード601に画像データを転送する1つの画像データバス、605は外部システムからの2系統ある画像入力の中のもう1つの画像データバス、606は次段の液晶パネル駆動用インターフェースボード601に画像データを転送するもう1つの画像データバス、607は外部システムと制御データのやり取りを行う制御データバス、608は次段の液晶パネル駆動用インターフェースボード601に接続し制御データのやり取りを行う制御データバス、609,610は入力データ処理手段、611は制御データ処理手段、612,613,614,615は当該液晶パネル駆動用インターフェースボード601内部に画像データを転送する画像データバス、616は当該液晶パネル駆動用インターフェースボード601内部に制御データを転送する制御データバス、617,618はデータ選択手段1、619,620と621,622はそれぞれ別の動画の画像データが書き込まれ読み出されるフレームメモリ1,フレームメモリ2とフレームメモリ3,フレームメモリ4、623はデータ選択手段2、624,625はフレームメモリ書き込み手段、626はフレームメモリ読み出し手段、627は画像データの読み出し先切り換え信号、628は前記フレームメモリ書き込み手段624,625の参照するメモリ書き込み用レジスタ、629は前記フレームメモリ読み出し手段626の参照するメモリ読み出し用レジスタ、630は液晶パネル駆動用インターフェースボード601に固有のIDを管理しレジスタ設定等を行うマイコン、631,632は入力画像データ取り込み信号、633は拡大データ処理手段、634は出力タイミング信号生成手段、635は前記液晶パネル602に表示するデータを転送する画像データバス、636は出力タイミング信号(同期信号)を転送する制御信号バス、637は出力タイミング信号、638は表示画像データ切り換え信号、639はレジスタ書き換え信号、640,641は画像データの入力先切り換え信号、642,643はデータ選択手段3、644,645はフレームメモリの書き込み読み出し先切り換え信号である。以下、2系統の画像データ入力のある液晶マルチディスプレイ装置において、複数の液晶ディスプレイにわたっての動画の高精細大画面表示を別の表示画面に切り換える場合に、表示画像に乱れなく同時に動画表示に切り換える動作について説明する。
【００３４】
まず図6の液晶パネル駆動用インターフェースボード601の動作について説明する。外部システムから2系統の画像データバス603,605を通して動画の画像データが、また制御データバス607を通してマイコン630の動作を制御する制御データが送られてくる。液晶パネル駆動用インターフェースボード601に送られてきた制御データについては、制御データ処理手段611が、送られてきた制御データを、制御データバス608を通して次段の液晶パネル駆動用インターフェースボード601に送るとともに、マイコン630に送り、またマイコン630から返される動作完了のデータを、制御データバス607を通して外部システムに送り返す。マイコン630は、送られてきた制御データが自身の管理している液晶パネル駆動用インターフェースボード601のIDに対する制御である場合に限り、その制御データをもとに動作し、動作が完了するとその旨を通知するデータを制御データ処理手段611に送る。制御データが、液晶パネル602に表示する画像データの設定を行う制御データである場合には、その表示する画像データの解像度に応じてメモリ書き込み用レジスタ628及びメモリ読み出し用レジスタ629に値を設定し、かつ入力画像データ取り込み信号631または入力画像データ取り込み信号632によりフレームメモリ書き込み手段624またはフレームメモリ書き込み手段625を制御する。あるいは制御データが、フレームメモリ1 619,フレームメモリ2 620またはフレームメモリ3 621,フレームメモリ4 622の画像データの読み出し先を切り換える制御データである場合には、表示画像データ切り換え信号638によりフレームメモリ読み出し手段626を制御する。
【００３５】
メモリ書き込み用レジスタ628は、現在液晶パネル602に表示しているフレームメモリ1 619,フレームメモリ2 620またはフレームメモリ3 621,フレームメモリ4 622に書き込み中の画像データの設定部分と、これから液晶パネル602に表示するためにフレームメモリ1 619,フレームメモリ2 620またはフレームメモリ3 621,フレームメモリ4 622に新たに書き込まれる画像データの設定部分を独立に持ち、マイコン630がメモリ書き込み用レジスタ628に値を設定するのは、これから液晶パネル602に表示する画像データの設定部分で、表示位置の設定である。またメモリ読み出し用レジスタ629も同様に、現在液晶パネル602に表示しているフレームメモリ1 619,フレームメモリ2 620またはフレームメモリ3 621,フレームメモリ4 622から読み出し中の画像データの設定部分と、これから液晶パネル602に表示するためにフレームメモリ1 619,フレームメモリ2 620またはフレームメモリ3 621,フレームメモリ4 622に新たに書き込まれた画像データの設定部分を独立に持ち、マイコン630がメモリ読み出し用レジスタ629に値を設定するのは、これから液晶パネル602に表示する画像データの設定部分で、出力サイズ、拡大率、表示位置の設定である。全ての液晶パネル駆動用インターフェースボード601にわたってのメモリ書き込み用レジスタ628及びメモリ読み出し用レジスタ629の設定により、複数の液晶パネルに同一の画像データを表示したり、複数の液晶パネルにわたって1つの画像データを拡大表示したり、液晶パネル602へ様々な表示が可能となる。一方、液晶パネル駆動用インターフェースボード601に送られてきた動画の画像データについては、入力データ処理手段609及び610が、送られてきた画像データを、画像データがアナログデータであればディジタルデータに変換し、画像データがディジタルデータであればそのまま、画像データバス604または画像データバス606を通して次段の液晶パネル駆動用インターフェースボード601に送るとともに、データ選択手段1 617またはデータ選択手段1 618を通してフレームメモリ書き込み手段624またはフレームメモリ書き込み手段625に送る。入力処理手段609、610にアナログ、ディジタル変換機能を持たせることで容易に実現できる。
【００３６】
フレームメモリ書き込み手段624及びフレームメモリ書き込み手段625は、マイコン630からの入力画像データ取り込み信号631または入力画像データ取り込み信号632を受け取ると、必要であれば画像データの入力先切り換え信号640または画像データの入力先切り換え信号641によりデータ選択手段1 617またはデータ選択手段1 618を切り換え、メモリ書き込み用レジスタ628を参照し、データ選択手段3 642またはデータ選択手段3 643を通してフレームメモリ1 619,フレームメモリ2 620またはフレームメモリ3 621,フレームメモリ4 622に1フレーム分の画像データの書き込み動作を行う。メモリ書き込み用レジスタ628を参照しての書き込み動作は、1フレーム分の画像データの書き込みが完了しても終了することなく続く。データ選択手段3 642及びデータ選択手段3 643は、フレームメモリ読み出し手段626からのフレームメモリの書き込み読み出し先切り換え信号644またはフレームメモリの書き込み読み出し先切り換え信号645により定期的に切り換えられ、1フレーム毎にフレームメモリへの書き込み先が交互に切り換わる。
【００３７】
フレームメモリをフレームメモリ1 619,フレームメモリ2 620とフレームメモリ3 621,フレームメモリ4 622のそれぞれ2つ設けている理由は、例えばフレームメモリ1 619,フレームメモリ2 620を使用しての画像データの書き込み及び読み出し動作を行う場合、フレームメモリ1 619に画像データを書き込む場合にフレームメモリ2 620からの画像データの読み出し動作を行い、フレームメモリ2 620に画像データを書き込む場合にフレームメモリ1 619からの画像データの読み出し動作を行うためである。フレームメモリ1 619,フレームメモリ2 620及びフレームメモリ3 621,フレームメモリ4 622に書き込まれた動画の画像データは、フレームメモリ読み出し手段626によって読み出される。フレームメモリ読み出し手段626は、マイコン630からの表示画像データ切り換え信号638を受け取ると、フレームメモリ1 619,フレームメモリ2 620またはフレームメモリ3 621,フレームメモリ4 622からの1フレーム分の画像データの読み出し及び拡大データ処理手段633への画像データの転送を完了した後、メモリ読み出し用レジスタ629にレジスタ書き換え信号639を送ることで、現在液晶パネル602に表示しているフレームメモリ1 619,フレームメモリ2 620またはフレームメモリ3 621,フレームメモリ4 622から読み出し中の画像データの設定を、これから液晶パネル602に表示する画像データの設定で書き換え、画像データの読み出し先切り換え信号627によりデータ選択手段2 623を切り換え、出力タイミング信号生成手段634の生成する次の出力タイミング信号637を受け取るのを待つ。出力タイミング信号637を受け取ると、フレームメモリ読み出し手段626はメモリ読み出し用レジスタ629を参照し、データ選択手段2 623を通して画像データの読み出し動作を行い、画像データを拡大データ処理手段633に送る。
【００３８】
拡大データ処理手段633はメモリ読み出し用レジスタ629を参照し、画像データに拡大処理を施し、出力タイミング信号生成手段634の生成する出力タイミング信号に同期して画像データを画像データバス635経由で出力する。出力タイミング信号生成手段634が、定期的に出力タイミング信号637を生成してフレームメモリ読み出し手段626に送ることで、液晶パネル602に動画の画像データが表示されることになる。
【００３９】
以上のように動作する液晶パネル駆動用インターフェースボード601において、液晶パネル602に動画の画像データを表示している状態で、次に表示する画像データの設定を、制御データとして画像データとともに全てのまたは一部の液晶パネル駆動用インターフェースボード601に送り、これから表示する画像データの設定を完了しておき、液晶パネル602の動画表示を切り換えるタイミングで、全てのまたは一部の液晶パネル駆動用インターフェースボード601に表示画面切り換えの制御データを送ることで、複数の液晶ディスプレイにわたっての動画の高精細大画面表示を、表示画像に乱れなく同時に切り換えることが可能となる。
【００４０】
液晶パネル駆動用インターフェースボード601を用いることにより、図3のように画像データを表示中に、図4のように表示する設定を行っておき、表示画像切り換えを行うことで表示画像に乱れなく同時に図4のように画像データを表示することができる。
【００４１】
別の実施形態を図3,4及び図7を用いて説明する。
図3,4は前述の通りである。図7は、本発明の液晶マルチディスプレイ装置のブロック図である。701は液晶パネル駆動用インターフェースボード、702は液晶パネル、703は外部システムからの2系統ある画像入力の中の1つの画像データバス、704は次段の液晶パネル駆動用インターフェースボード701に画像データを転送する1つの画像データバス、705は外部システムからの2系統ある画像入力の中のもう1つの画像データバス、706は次段の液晶パネル駆動用インターフェースボード701に画像データを転送するもう1つの画像データバス、707は外部システムと制御データのやり取りを行う制御データバス、708は次段の液晶パネル駆動用インターフェースボード701に接続し制御データのやり取りを行う制御データバス、709,710は入力データ処理手段、711は制御データ処理手段、712,713,714,715は当該液晶パネル駆動用インターフェースボード701内部に画像データを転送する画像データバス、716は当該液晶パネル駆動用インターフェースボード701内部に制御データを転送する制御データバス、717,718はデータ選択手段1、719,720と721,722はそれぞれ別の動画の画像データが書き込まれ読み出されるフレームメモリ1,フレームメモリ2とフレームメモリ3,フレームメモリ4、723はデータ選択手段2、724,725はフレームメモリ書き込み手段、726はフレームメモリ読み出し手段、727は画像データの読み出し先切り換え信号、728は前記フレームメモリ書き込み手段724,725の参照するメモリ書き込み用レジスタ、729は前記フレームメモリ読み出し手段726の参照するメモリ読み出し用レジスタ、730は液晶パネル駆動用インターフェースボード701に固有のIDを管理しレジスタ設定等を行うマイコン、731,732は入力画像データ取り込み信号、733は拡大データ処理手段、734は出力タイミング信号生成手段、735は前記液晶パネル702に表示するデータを転送する画像データバス、736は出力タイミング信号(同期信号)を転送する制御信号バス、737は出力タイミング信号、738は表示画像データ切り換え信号、739はレジスタ設定データ保存部、740,741は画像データの入力先切り換え信号、742,743はデータ選択手段3、744,745はフレームメモリの書き込み読み出し先切り換え信号である。以下、2系統の画像データ入力のある液晶マルチディスプレイ装置において、複数の液晶ディスプレイにわたっての動画の高精細大画面表示を別の表示画面に切り換える場合に、表示画像に乱れなく同時に動画表示に切り換える動作について説明する。
【００４２】
図7の液晶パネル駆動用インターフェースボード701において、図6の液晶パネル駆動用インターフェースボード601と異なる動作をするのは、図7のマイコン730とフレームメモリ読み出し手段726である。他の手段等については図6と同様に動作する。また図7のマイコン730とフレームメモリ読み出し手段726の動作は、図5のマイコン524とフレームメモリ読み出し手段520と同様であるため、説明を省略する。
【００４３】
従って、図7の液晶パネル駆動用インターフェースボード701において、液晶パネル702に動画の画像データを表示している状態で、次に表示する画像データの設定を、制御データとして画像データとともに全てのまたは一部の液晶パネル駆動用インターフェースボード701に送り、これから表示する画像データの設定を完了しておき、液晶パネル702の動画表示を切り換えるタイミングで、全てのまたは一部の液晶パネル駆動用インターフェースボード701に表示画面切り換えの制御データを送ることで、複数の液晶ディスプレイにわたっての動画の高精細大画面表示を、表示画像に乱れなく同時に切り換えることが可能となる。液晶パネル駆動用インターフェースボード701を用いることにより、図3のように画像データを表示中に、図4のように表示する設定を行っておき、表示画像切り換えを行うことで表示画像に乱れなく同時に図4のように画像データを表示することができる。また、複数入力系統の入力データをもとに解像度、表示モードの判定、例えばＶＧＡの場合６４０ｘ４８０、ＳＶＧＡの場合８００ｘ６００の判定、６０ＭＨｚ、６５ＭＨｚ等のリフレッシュレートの設定を行なうことでフレームメモリ１、２、３、４、719、720、721、722の使用する領域の確保をプログラマブルに設定することが実現できフレームメモリを有効に使用することが可能となる。
【００４４】
別の実施形態について図8を用いて説明する。
図8は本発明の液晶マルチディスプレイ装置を用いて構成した液晶マルチディスプレイシステムとしての応用例である。801は液晶パネル駆動用インターフェースボード、802は液晶パネル、803は液晶マルチディスプレイ装置に画像データ及び制御データを送る外部システム装置、804は液晶パネルに表示する画像データの制御を行う表示画面制御手段、805は画像データを保存しておく画像データ保存部、806,807は画像データの送信を行う画像データ送信手段、808は制御データの送受信を行う制御データ送受信手段、809は送信する画像データの表示を行う画像データ表示手段、810は当該外部システム装置803内のデータバス、811,812,813,814,815は画像データバス、816,817は制御データバスである。以下、2系統の画像データ入力のある液晶マルチディスプレイ装置を用いて構成した、液晶マルチディスプレイシステムの動作について説明する。
【００４５】
外部システム装置803の表示画面制御手段804から、画像データ送信手段806または画像データ送信手段807に対して、液晶パネル802にどのような画像データを表示するかという画像データに関する情報が送られ、画像データ送信手段806はその情報をもとに、画像データ保存部805から画像データを読み出し、画像データバス811または画像データバス813を通して画像データを各液晶パネル駆動用インターフェースボード801に送るとともに、画像データ表示手段809にも送る。画像データ表示手段809に送られた画像データは、画像データ表示手段809で表示され、どのような画像データを送っているのかが外部システム装置803から分かるようになっている。
【００４６】
また外部システム装置803の表示画面制御手段804から、制御データ送受信手段808に対して、液晶パネル802にどのように画像データを表示するかという表示形態に関する情報が送られ、制御データ送受信手段808はその情報をもとに、表示形態を制御データとして送るとともに、各液晶パネル駆動用インターフェースボードから返されるデータを受信する。受信したデータにより、各液晶パネル駆動用インターフェースボード801の設定状態について外部システム装置803からマイコンを介して読み出し可能である。各液晶パネル駆動用インターフェースボード801の動作は上述の通りである。
【００４７】
従って、図8の液晶マルチディスプレイシステムにおいて、液晶パネル802に静止画あるいは動画の画像データを表示している状態で、次に表示する画像データの設定を、外部システム装置803から制御データとして画像データとともに全てのまたは一部の液晶パネル駆動用インターフェースボード801に送り、これから表示する画像データの設定を完了しておき、液晶パネル802の動画表示を切り換えるタイミングで、外部システム装置803から全てのまたは一部の液晶パネル駆動用インターフェースボード801に表示画面切り換えの制御データを送ることで、複数の液晶ディスプレイにわたっての静止画あるいは動画の高精細大画面表示を、表示画像に乱れなく同時に切り換えることが可能となる。
【００４８】
【発明の効果】
本発明の液晶マルチディスプレイ装置によれば、液晶ディスプレイに表示する画像データに応じ、静止画の場合は2つのフレームメモリ、動画の場合は4つのフレームメモリを設け、画像データを表示している状態で別の画像データをフレームメモリに書き込んでおき、複数の液晶ディスプレイにわたっての高精細大画面表示を別の表示画面に切り換える場合に、フレームメモリからの読み出し先を変更するだけで、表示画像に乱れなく同時に静止画表示切り換え、または動画表示切り換えを実現できる効果がある。
【図面の簡単な説明】
【図１】本発明の液晶マルチディスプレイ装置のブロック図。
【図２】従来のマルチディスプレイシステムのブロック図。
【図３】４面液晶マルチディスプレイへの高精細大画面表示画像データの一例を示す図。
【図４】４面液晶マルチディスプレイへの高精細大画面表示画像データの一例を示す図。
【図５】本発明の液晶マルチディスプレイ装置のブロック図。
【図６】本発明の液晶マルチディスプレイ装置のブロック図。
【図７】本発明の液晶マルチディスプレイ装置のブロック図。
【図８】本発明の液晶マルチディスプレイ装置を用いて構成した液晶マルチディスプレイシステムとしての応用例を示す図。
【符号の説明】
１０１…液晶パネル駆動用インターフェースボード、１０２…液晶パネル、
１０３…画像データバス、１０４…画像データバス、１０５…画像データバス、
１０６…画像データバス、１０７…制御データバス、１０８…制御データバス、
１０９…入力データ処理手段、  １１０…入力データ処理手段、
１１１…制御データ処理手段、、１１２…画像データバス、
１１３…画像データバス、１１４…制御データバス、１１５…データ選択手段１、
１１６…フレームメモリ１、    １１７…フレームメモリ２、
１１８…データ選択手段２、    １１９…フレームメモリ書き込み手段、
１２０…フレームメモリ読み出し手段、１２１…読み出し先切り換え信号、
１２２…メモリ書き込み用レジスタ、  １２３…メモリ読み出し用レジスタ、
１２４…マイコン、                  １２５…入力画像データ取り込み信号、
１２６…拡大データ処理手段、          １２７…出力タイミング信号生成手段、
１２８…画像データバス、１２９…制御信号バス、１３０…出力タイミング信号、
１３１…表示画像データ切り換え信号、１３２…レジスタ書き換え信号、
１３３…入力先切り換え信号、  ２０１…モニタ部、  ２０２…画像入力部、
２０３…Ａ／Ｄコンバータ、    ２０４…記憶選択部、２０５…画像メモリ１、
２０６…画像メモリ２、        ２０７…切り換え演算部、
２０８…Ｄ／Ａコンバータ、    ２０９…表示部、    ２１０…制御信号受信部、
２１１…デコード部、          ２１２…受信制御信号メモリ、
２１３…ＩＤ設定部、          ２１４…モニタシステムメモリ、
２１５…モニタ制御部、        ２１６…画像送信部、２１７…画像信号発生部、
２１８…画像送出部、          ２１９…モニタＩＤ登録部、
２２０…プログラムコード発生部、２２１…フレーム番号発生部、
２２２…同期調整部、２２３…制御信号送出部、      ２２４…制御信号合成部、
２２５…モニタ制御プログラムメモリ、              ２２６…制御部、
２２７…システムメモリ、        ２２８…画像信号回線、
２２９…デジタル制御回線。
【図１】
0003793663.tif 000002
【図２】
0003793663.tif 000003
【図３】
0003793663.tif 000004
【図４】
0003793663.tif 000005
【図５】
0003793663.tif 000006
【図６】
0003793663.tif 000007
【図７】
0003793663.tif 000008
【図８】
0003793663.tif 000009